(57)【特許請求の範囲】
【請求項１】
被検査者の検査結果を管理する検査結果管理装置であって、
前記被検査者を識別するための被検査者識別情報、及び前記検査結果が、前記被検査者が個人で申し込んだ健診により得られた第１検査結果であるか、前記被検査者が属する団体が申し込んだ健診により得られた第２検査結果かを示す申込情報に関連付けて前記検査結果を記憶する記憶部と、
前記検査結果へのアクセス要求を受信する受信部と、
前記受信部が受信した前記アクセス要求の送信者の属性と、前記記憶部に記憶された前記検査結果に関連付けられた前記申込情報と、に基づいて前記第１検査結果及び前記第２検査結果から選択した検査結果を送信する送信部と、
を有し、
前記送信部は、前記送信者の属性が前記団体であることを示している場合、前記第２検査結果が示す診断結果が所定の範囲であることを条件に、前記第１検査結果を前記送信者に送信する検査結果管理装置。
【請求項２】
被検査者の検査結果を管理する検査結果管理装置であって、
前記被検査者を識別するための被検査者識別情報と、前記検査結果が、前記被検査者が個人で申し込んだ健診により得られた第１検査結果であるか、前記被検査者が属する団体が申し込んだ健診により得られた第２検査結果かを示す申込情報と、前記検査結果の用途に応じた許諾レベルを示す許諾情報とを前記検査結果に関連付けて記憶する記憶部と、
前記検査結果の用途を示す用途情報を含む、前記検査結果へのアクセス要求を受信する受信部と、
前記受信部が受信した前記アクセス要求の送信者の属性と、前記記憶部に記憶された前記検査結果に関連付けられた前記申込情報と、前記アクセス要求に含まれる前記用途情報と、前記検査結果に関連付けられた前記許諾情報とに基づいて前記第１検査結果及び前記第２検査結果から選択した検査結果を送信する送信部と、
を有する検査結果管理装置。
【請求項３】
被検査者の検査結果を管理する検査結果管理装置であって、
前記被検査者を識別するための被検査者識別情報、及び前記検査結果が、前記被検査者が個人で申し込んだ健診により得られた第１検査結果であるか、前記被検査者が属する団体が申し込んだ健診により得られた第２検査結果かを示す申込情報に関連付けて前記検査結果を記憶し、複数の前記団体が申し込んだ健診により得られた前記第２検査結果を、前記団体を識別するための団体識別情報に関連付けて記憶する記憶部と、
前記検査結果へのアクセス要求を受信する受信部と、
前記受信部が受信した前記アクセス要求の送信者の属性と、前記記憶部に記憶された前記検査結果に関連付けられた前記申込情報と、に基づいて前記第１検査結果及び前記第２検査結果から選択した検査結果を送信する送信部と、
を有し、
前記送信部は、前記受信部が前記複数の団体のうちの第１団体から前記アクセス要求を受信した場合、前記第１団体と、前記複数の団体のうちの第２団体との関係が所定の条件を満たすことを条件として、前記第２団体の前記団体識別情報に関連付けられた前記第２検査結果を前記第１団体に送信する検査結果管理装置。
【請求項４】
前記送信者の属性が前記被検査者自身であることを示している場合、前記送信部は、前記第１検査結果及び前記第２検査結果を送信し、前記送信者の属性が前記団体であることを示している場合、前記送信部は、前記第１検査結果を送信せず第２検査結果を送信する、
請求項１から３のいずれか一項に記載の検査結果管理装置。
【請求項５】
前記送信部は、前記送信者の属性が前記団体であることを示している場合、前記第１検査結果の提供の許可を要求するメッセージを前記被検査者に送信し、前記被検査者から許可を得たことを条件に、前記第１検査結果を前記送信者に送信する、
請求項４に記載の検査結果管理装置。
【請求項６】
前記送信部は、前記用途情報が、前記検査結果を統計データの作成に用いることを示している場合に、前記第１検査結果及び前記第２検査結果を送信する、
請求項２に記載の検査結果管理装置。
【請求項７】
前記第１団体及び前記第２団体が自治体であり、
前記送信部は、前記第１団体が、前記被検査者が現在居住している第１自治体であり、かつ前記第２団体が、前記被検査者が過去に居住していた第２自治体であることを条件として、前記第２検査結果を前記第１団体に送信する、
請求項３に記載の検査結果管理装置。
【請求項８】
コンピュータが実行する、被検査者の検査結果を管理する検査結果管理方法であって、
前記検査結果へのアクセス要求を受信するステップと、
前記被検査者を識別するための被検査者識別情報、及び前記検査結果が、前記被検査者が個人で申し込んだ健診により得られた第１検査結果であるか、前記被検査者が属する団体が申し込んだ健診により得られた第２検査結果かを示す申込情報に関連付けて前記検査結果を記憶する記憶部を参照するステップと、
受信した前記アクセス要求の送信者の属性が前記団体であることを示している場合、前記第２検査結果が示す診断結果が所定の範囲であることを条件に、前記第１検査結果を前記送信者に送信するステップと、
を有する検査結果管理方法。
【請求項９】
コンピュータが実行する、被検査者の検査結果を管理する検査結果管理方法であって、
前記検査結果の用途を示す用途情報を含む、前記検査結果へのアクセス要求を受信するステップと、
前記被検査者を識別するための被検査者識別情報と、前記検査結果が、前記被検査者が個人で申し込んだ健診により得られた第１検査結果であるか、前記被検査者が属する団体が申し込んだ健診により得られた第２検査結果かを示す申込情報と、前記検査結果の用途に応じた許諾レベルを示す許諾情報とを前記検査結果に関連付けて記憶する記憶部を参照するステップと、
受信した前記アクセス要求の送信者の属性と、前記記憶部に記憶された前記検査結果に関連付けられた前記申込情報と、前記アクセス要求に含まれる前記用途情報と、前記検査結果に関連付けられた前記許諾情報とに基づいて前記第１検査結果及び前記第２検査結果から選択した検査結果を送信するステップと、
を有する検査結果管理方法。
【請求項１０】
コンピュータが実行する、被検査者の検査結果を管理する検査結果管理方法であって、
前記検査結果へのアクセス要求を受信するステップと、
前記被検査者を識別するための被検査者識別情報、及び前記検査結果が、前記被検査者が個人で申し込んだ健診により得られた第１検査結果であるか、前記被検査者が属する団体が申し込んだ健診により得られた第２検査結果かを示す申込情報に関連付けて前記検査結果を記憶し、複数の前記団体が申し込んだ健診により得られた前記第２検査結果に、前記団体を識別するための団体識別情報を関連付けて記憶する記憶部を参照するステップと、
前記複数の団体のうちの第１団体から前記アクセス要求を受信した場合、前記第１団体と、前記複数の団体のうちの第２団体との関係が所定の条件を満たすことを条件として、前記第２団体の前記団体識別情報に関連付けられた前記第２検査結果を前記第１団体に送信するステップと、
を有する検査結果管理方法。
【発明の詳細な説明】
【技術分野】
【０００１】
本発明は、身体の検査結果を管理するための検査結果管理装置、検査結果管理方法及び検査結果管理用プログラムに関する。
【背景技術】
【０００２】
従来、健康診断の結果をコンピュータで管理するシステムが知られている。特許文献１には、被検査者の血圧、脈拍、体温、体重等を測定する測定機器による検査結果を通信回線経由で取得し、取得した検査結果、及び検査結果に基づいて健康状態を分析した結果を出力するシステムが開示されている。
【先行技術文献】
【特許文献】
【０００３】
【特許文献１】特開２０１０−２２４９９７号公報
【発明の概要】
【発明が解決しようとする課題】
【０００４】
従来のシステムでは、被検査者個人が検査を申し込み、被検査者個人が検査結果を閲覧することが想定されており、検査を受けた被検査者本人のコンピュータに検査結果が出力されていた。しかしながら、健康診断は、自治体や企業等の団体からの申し込みにより実施される場合もある。このような団体からの申し込みによって実施された検査による結果と、被検査者個人からの申し込みにより実施された検査による結果とを一つのシステムで管理する場合に、被検査者個人が申し込んだ検査の結果を団体の職員が自由に閲覧できてしまうと、プライバシーの点で問題であった。
【０００５】
そこで、本発明はこれらの点に鑑みてなされたものであり、検査結果を適切な人のみが閲覧できるようにするための検査結果管理装置、検査結果管理方法及び検査結果管理用プログラムを提供することを目的とする。
【課題を解決するための手段】
【０００６】
本発明の第１の態様においては、被検査者の検査結果を管理する検査結果管理装置であって、前記被検査者を識別するための被検査者識別情報、及び前記検査結果が、前記被検査者が個人で申し込んだ健診により得られた第１検査結果であるか、前記被検査者が属する団体が申し込んだ健診により得られた第２検査結果かを示す申込情報に関連付けて前記検査結果を記憶する記憶部と、前記検査結果へのアクセス要求を受信する受信部と、前記受信部が受信した前記アクセス要求の送信者の属性と、及び前記記憶部に記憶された前記検査結果に関連付けられた前記申込情報と、に基づいて前記第１検査結果及び前記第２検査結果から選択した検査結果を送信する送信部と、を有する検査結果管理装置を提供する。
【０００７】
前記送信者の属性が前記被検査者自身であることを示している場合、前記送信部は、前記第１検査結果及び前記第２検査結果を送信し、前記送信者の属性が前記団体であることを示している場合、前記送信部は、前記第１検査結果を送信せず第２検査結果を送信してもよい。
【０００８】
また、前記送信部は、前記送信者の属性が前記団体であることを示している場合、前記第１検査結果の提供の許可を要求するメッセージを前記被検査者に送信し、前記被検査者から許可を得たことを条件に、前記第１検査結果を前記送信者に送信してもよい。
【０００９】
また、前記送信部は、前記送信者の属性が前記団体であることを示している場合、前記第２検査結果が示す診断結果が所定の範囲であることを条件に、前記第１検査結果を前記送信者に送信してもよい。
【００１０】
前記記憶部は、前記検査結果の用途に応じた許諾レベルを示す許諾情報を前記検査結果に関連付けて記憶し、前記受信部は、前記検査結果の用途を示す用途情報を含む前記アクセス要求を受信し、前記送信部は、前記アクセス要求に含まれる前記用途情報と、前記検査結果に関連付けられた前記許諾情報とに基づいて前記第１検査結果及び前記第２検査結果から選択した検査結果を送信してもよい。
【００１１】
前記送信部は、前記用途情報が、前記検査結果を統計データの作成に用いることを示している場合に、前記第１検査結果及び前記第２検査結果を送信してもよい。
【００１２】
前記記憶部は、複数の前記団体が申し込んだ健診により得られた前記第２検査結果を、前記団体を識別するための団体識別情報に関連付けて記憶し、前記送信部は、前記受信部が前記複数の団体のうちの第１団体から前記アクセス要求を受信した場合、前記第１団体と、前記複数の団体のうちの第２団体との関係が所定の条件を満たすことを条件として、前記第２団体の前記団体識別情報に関連付けられた前記第２検査結果を前記第１団体に送信してもよい。
【００１３】
前記第１団体及び前記第２団体が自治体であり、前記送信部は、前記第１団体が、前記被検査者が現在居住している第１自治体であり、かつ前記第２団体が、前記被検査者が過去に居住していた第２自治体であることを条件として、前記第２検査結果を前記第１団体に送信してもよい。
【００１４】
本発明の第２の態様においては、コンピュータが実行する、被検査者の検査結果を管理する検査結果管理方法であって、前記検査結果へのアクセス要求を受信するステップと、前記被検査者を識別するための被検査者識別情報、及び前記検査結果が、前記被検査者が個人で申し込んだ健診により得られた第１検査結果であるか、前記被検査者が属する団体が申し込んだ健診により得られた第２検査結果かを示す申込情報に関連付けて前記検査結果を記憶する記憶部を参照するステップと、受信した前記アクセス要求の送信者の属性と、前記記憶部に記憶された前記検査結果に関連付けられた前記申込情報と、に基づいて前記第１検査結果及び前記第２検査結果から選択した検査結果を送信するステップと、を有する検査結果管理方法を提供する。
【００１５】
本発明の第３の態様においては、コンピュータに、被検査者の検査結果へのアクセス要求を受信するステップと、前記被検査者を識別するための被検査者識別情報、及び前記検査結果が、前記被検査者が個人で申し込んだ健診により得られた第１検査結果であるか、前記被検査者が属する団体が申し込んだ健診により得られた第２検査結果かを示す申込情報に関連付けて前記検査結果を記憶する記憶部を参照するステップと、受信した前記アクセス要求の送信者の属性と、前記記憶部に記憶された前記検査結果に関連付けられた前記申込情報と、に基づいて前記第１検査結果及び前記第２検査結果から選択した検査結果を送信するステップと、を実行させるための検査結果管理用プログラムを提供する。
【発明の効果】
【００１６】
本発明によれば、検査結果を適切な人のみが閲覧できるようにすることができるという効果を奏する。
【図面の簡単な説明】
【００１７】
【図１】第１の実施形態に係る検査結果管理システムの構成を示す図である。
【図２】ユーザが検査を申し込んでから検査結果を確認できるようになるまでの流れを示す図である。
【図３】検査結果管理装置及びユーザ端末の構成を示す図である。
【図４Ａ】記憶部に記憶された検査結果データベースの一例を示す図である。
【図４Ｂ】記憶部に記憶された検査結果データベースの一例を示す図である。
【図５】検査結果の一覧画面である。
【図６】検査結果の概要を表示している画面である。
【図７】検査結果の詳細画面である。
【図８】過去の複数の検査結果の変化の様子を示すグラフである。
【図９】検査結果管理装置における処理の手順を示すフローチャートである。
【図１０】第２の実施形態における検査結果データベースの一例を示す図である。
【図１１】第２の実施形態の検査結果管理装置における処理の手順を示すフローチャートである。
【発明を実施するための形態】
【００１８】
＜第１の実施形態＞
［検査結果管理システムＳの概要］
図１は、第１の実施形態に係る検査結果管理システムＳの構成を示す図である。検査結果管理システムＳは、被検査者（以下、「ユーザ」という）が採取した検体を検査する検査センターに設けられた検査結果管理装置１と、ユーザが用いる通信端末であるユーザ端末３とを含んで構成されている。ユーザ端末３は、例えばスマートフォン又はＰＣである。検体は、例えば血液、唾液、尿又は便のように、ユーザから採取された物質である。検査結果管理システムＳを利用するユーザは、自らが採取した検体が入った検査キット（検査対象物）を検査センターに郵送することにより、ユーザ端末３において検査結果を確認することができる。なお、図１には１台のユーザ端末３が示されているが、検査結果管理装置１は、複数のユーザの複数のユーザ端末３に対して、夫々のユーザの検査結果を提供することができる。
【００１９】
検査結果管理装置１は、ユーザが郵送した検体の検査結果を含む検査結果データベースを格納しているサーバである。検査センターの職員は、ＬＡＮ（Local Area Network）を介して検査結果管理装置１に接続されたコンピュータ２を用いて、ユーザの氏名及びユーザＩＤ等のユーザを識別するための情報、及び検体の検査結果を検査結果管理装置１に登録することができる。
【００２０】
ユーザは、自らが検査を申し込むことによって検査を受けることができる。この際、ユーザは、申込み画面に表示される「個人申込み」、「団体申込み」のいずれかの選択ボタンを選択することにより、ユーザ自身が費用を負担する検査を行うか、自治体等の団体が費用を負担する検査を行うかを選ぶことができる。なお、ユーザは、ユーザが属する団体が申し込むことによっても検査を受けることができる。例えば、図１に示すように、ユーザが住む自治体の職員が、自治体端末４を用いてユーザの検査を申し込むことができる。この場合、検査結果管理装置１は、自治体端末４を用いて申し込んだ検査の結果を、自治体端末４に提供する。以下の説明においては、団体申込みをする際に、自治体の職員がユーザの検査を申し込んだ場合について説明する。
【００２１】
ここで、検査結果管理装置１は、ユーザの検査結果を、ユーザ自身が費用を負担する個人申込みにより申し込んだのか、ユーザが属する団体が費用を負担する団体申込みにより申し込んだかによって、検査結果の閲覧可能範囲を制御することを特徴としている。検査結果管理装置１は、例えば、ユーザは、自身の検査結果を全て閲覧できるが、ユーザが属する団体の職員は、ユーザ自身が申し込んだ検査の結果を閲覧することができず、団体が申し込んだ検査の結果のみを閲覧できるように制御する。
【００２２】
図２は、ユーザが検査を申し込んでから検査結果を確認できるようになるまでの流れを示す図である。以下、図１及び図２を参照して、検査結果管理システムＳの概要を説明する。
【００２３】
まず、ユーザは、自身のユーザ端末３を用いて検査を申し込む（Ｓ１ａ）。具体的には、ユーザは、検査センターが提供する検査サービスサイトにアクセスし、予めユーザに付与されたユーザＩＤ等の識別情報を入力することにより、検査を申し込むことができる。この際、ユーザ端末３には、問診データを入力する画面が表示され、ユーザは生活習慣や現在の体調等に関する情報を入力することができる（Ｓ２）。なお、ここで検査サービスサイトは検査センターが提供するものとして説明したが、それに限られず検査センターと協業する管理事業者が提供するサービスサイトでも良い。
【００２４】
画面には、検査料の支払い方法を選択する画面が表示される。ユーザが、振込、クレジットカード等での検査料支払いを選択した場合、ユーザは、上記の画面においてクレジット番号を入力することにより、検査料を支払うことができる。ユーザが検査料を支払う処理をすると、検査センターから検査キットが郵送される（Ｓ３）。検査料の支払いは、当該事例に限らず、口座振替又は請求書払い等によって行われてもよい。支払い処理の完了後に必要情報が入力されたことにより検査キットを郵送してもよく、検査キットと同時に請求書等を郵送して支払い可能にしてもよい。
【００２５】
検査キットには、例えば、検体を採取するための検体採取具、及び採取した検体を格納する検体格納容器が含まれている。検査キットには、検査キットごとに異なるキット番号が印刷されたシールが付されている。ユーザは、ユーザ端末３を用いて検査サービスサイトにアクセスし、シールに印刷されたキット番号を入力する。入力されたキット番号データは、ユーザ端末３から検査結果管理装置１へと送信される（Ｓ４）。検査結果管理装置１が送信されたキット番号データを受信すると、検査結果管理装置１は、検査結果データベースに、ユーザＩＤとキット番号データとを関連付けて登録する（Ｓ５）。
【００２６】
続いて、ユーザは、検査キットを用いて自身の検体を採取し、採取した検体を格納した検体格納容器を含む検査キットを検査センターに返送する（Ｓ６）。なお、ユーザは、検査キットを返送した後に、検査サービスサイトにおいてキット番号を入力してもよい。すなわち、ステップＳ４からステップＳ６が行われる順序は任意である。
【００２７】
検査センターに検査キットが届くと、検査センターでは検体格納容器に格納された検体を検査する（Ｓ７）。検査が終了すると、検査センターの職員は、コンピュータ２において、検査結果と、検体が格納されていた検査キットのキット番号とを関連付けて入力する。入力された検査結果及びキット番号は、検査結果管理装置１に送信され、検査結果データベースに登録される（Ｓ８）。検査結果管理装置１は、コンピュータ２から検査結果を受信すると、ユーザＩＤ、キット番号及び検査結果を関連付けて記憶する。
【００２８】
その後、ユーザが、ユーザ端末３において検査サービスサイトにアクセスすると、検査結果管理装置１は、検査結果に対応するユーザＩＤのユーザのユーザ端末３に検査結果を送信する（Ｓ９ａ）。このようにして、ユーザは、ユーザ端末３において検査結果を閲覧することができる。なお、ユーザ端末３には、検査に関するアンケートも送信され、ユーザがアンケートに回答した結果は、検査結果管理装置１において管理される。また、問診データの入力は、ステップＳ２で受け付けるだけとは限らず、ステップＳ９ａまでのどのタイミングで入力を受け付けてもよい。
【００２９】
続いて、ユーザが住む自治体が費用を負担する検査を、自治体の職員がユーザの代理で検査を申込む場合の例を用いて説明する。この場合、自治体の職員が、自治体端末４を用いて検査を申し込む（Ｓ１ｂ）。具体的には、自治体の職員は、検査センターが提供する検査サービスサイトにアクセスし、予め自治体に付与された自治体ＩＤ等の識別情報、及び検査を受ける対象となるユーザのＩＤを入力することにより、ユーザの検査を申し込むことができる。この際、ユーザ端末３には、問診データを入力する画面が表示され、ユーザは生活習慣や現在の体調等に関する情報を入力することができる（Ｓ２）。ステップＳ２からステップＳ８までの処理は、ユーザが検査を申し込んだ場合と概ね同等である。
【００３０】
ただし、自治体が検査を申し込んだ場合、自治体が検査料を支払い、ステップＳ３において、検査キットが自治体を介してユーザに郵送されるものとしてもよい。また、ステップＳ６において、ユーザは、採取した検体を格納した検査キットを、自治体を経由して検査センターに返送してもよい。
【００３１】
その後、自治体の職員が、自治体端末４において検査サービスサイトにアクセスすると、検査結果管理装置１は、自治体端末４に検査結果を送信する（Ｓ９ｂ）。この時点で、ユーザ端末３からも、検査結果にアクセスすることができる。このようにして、ユーザ及び自治体の担当者は、ユーザ端末３又は自治体端末４において検査結果を閲覧したり、検査結果を記憶媒体に記憶させたりすることができる。
【００３２】
［ユーザ端末３の構成］
図３は、検査結果管理装置１及びユーザ端末３の構成を示す図である。
まず、ユーザ端末３の構成について説明する。自治体端末４の構成は、ユーザ端末３の構成と同等であるので説明を割愛する。ユーザ端末３は、通信部３１と、操作部３２と、表示部３３と、記憶部３４と、制御部３５とを有する。
【００３３】
通信部３１は、検査結果管理装置１との間でデータを送受信するネットワークに接続するためのインターフェイスであり、例えばＬＡＮコントローラを含んで構成されている。
操作部３２は、キーボード及びマウス等により構成され、ユーザが操作するデバイスである。
【００３４】
表示部３３は、例えば液晶ディスプレイである。表示部３３には、検査サービスサイトのコンテンツ及び検査結果が表示される。
記憶部３４は、ＲＯＭ、ＲＡＭ及びハードディスク等の記憶媒体である。記憶部３４は、制御部３５が実行するプログラムを記憶している。
【００３５】
制御部３５は、例えばＣＰＵである。制御部３５は、記憶部３４に記憶されたプログラムを実行することにより、受付部３５１、送信部３５２、受信部３５３及び表示制御部３５４として機能する。
【００３６】
受付部３５１は、操作部３２を介してユーザにより入力された操作を受け付ける。受付部３５１は、例えば、検査サービスサイトにアクセスするための操作を受け付け、表示部３３に検査サービスサイトへのログイン画面が表示されると、ログイン画面を介して入力されたユーザＩＤを受け付ける。また、受付部３５１は、ログイン後に表示されるキット番号入力画面を介して入力されたキット番号を受け付ける。受付部３５１は、受け付けたユーザＩＤ及びキット番号を送信部３５２に通知する。
【００３７】
送信部３５２は、通信部３１を介して、各種のデータを検査結果管理装置１に送信する。送信部３５２は、例えば、検査サービスサイトにアクセスするための要求メッセージを送信したり、受付部３５１から通知されたユーザＩＤ及びキット番号を検査結果管理装置１に送信したりする。
【００３８】
受信部３５３は、検査サービスサイトのコンテンツ及び検査結果を、検査結果管理装置１から受信する。受信部３５３は、受信した検査サービスサイトのコンテンツ及び検査結果を記憶部３４に記憶させる。
【００３９】
表示制御部３５４は、各種のコンテンツを表示部３３に表示させる。例えば、表示制御部３５４は、受信部３５３が受信して記憶部３４に記憶させた検査サービスサイトのコンテンツ及び検査結果を表示部３３に表示させる。
【００４０】
［検査結果管理装置１の構成］
続いて、検査結果管理装置１の構成について説明する。
検査結果管理装置１は、通信部１１と、記憶部１２と、制御部１３とを有する。通信部１１は、ユーザ端末３との間でデータを送受信するネットワークに接続するためのインターフェイスであり、例えばＬＡＮコントローラを含んで構成されている。
【００４１】
記憶部１２は、ＲＯＭ、ＲＡＭ及びハードディスク等の記憶媒体である。記憶部１２は、制御部１３が実行するプログラムを記憶している。また、記憶部１２は、ユーザ端末３がアクセス可能な検査サービスサイトのコンテンツ、並びに各ユーザの検査結果及びユーザの属性等のレコードを含む検査結果データベースを記憶している。また、記憶部１２は、ユーザ端末３から送信される問診データ及びアンケートへの回答内容を、ユーザに関連付けて記憶している。検査サービスサイトのコンテンツ及び検査結果データベースの詳細については後述する。
【００４２】
制御部１３は、例えばＣＰＵである。制御部１３は、記憶部１２に記憶されたプログラムを実行することにより、受信部１３１、取得部１３２、管理部１３３及び送信部１３４として機能する。
【００４３】
受信部１３１は、ユーザＩＤが入力されたユーザ端末３、及び自治体ＩＤが入力された自治体端末４から、各種のデータを受信する。受信部１３１は、例えば、検査サービスサイトにログインするためのログイン要求メッセージをユーザ端末３及び自治体端末４から受信する。また、受信部１３１は、検査結果の提供の許可を要求するためのアクセス要求メッセージをユーザ端末３及び自治体端末４から受信する。
【００４４】
受信部１３１は、ユーザ端末３が検査サービスサイトにログインした後に、ユーザ端末３において入力されたキット番号データ及び検査日を受信する。さらに、受信部１３１は、ユーザがユーザ端末３において入力した問診データを受信する。受信部１３１は、受信した問診データをユーザＩＤに関連付けて記憶部１２に記憶させる。
【００４５】
受信部１３１は、複数のユーザ端末３から受信したキット番号データ及び検査日を、夫々のユーザ端末３のユーザのユーザＩＤに関連付けて、記憶部１２内の検査結果データベースに記憶させる。本実施形態においては、ユーザ端末３に表示される検査日入力欄にユーザが入力した日付を検査日とするが、検査日は、ユーザにより入力された日付に限らない。検査日として、ユーザが検査サービスサイトにおいてキット番号を入力した日、検査キットに貼られたシールにユーザが記入した日付、又は検査キットが検査センターに到着した日等、検査が行われた日に関連する任意の日付を用いることができる。
【００４６】
取得部１３２は、ユーザから送付された検査キットに付されたキット番号と、当該キット番号が付された検査キットに含まれている検体に基づく検査結果を取得する。取得部１３２は、ユーザの氏名を示す氏名情報をさらに取得してもよい。具体的には、検査センターの職員が、検査キットに付されたシールに印刷されているキット番号、氏名及び検査結果をコンピュータ２に入力すると、ＬＡＮを介してコンピュータ２から検査結果管理装置１にキット番号、氏名情報及び検査結果が送信され、取得部１３２は、通信部１１を介してキット番号及び氏名情報を取得する。
【００４７】
管理部１３３は、検査結果データベースを管理し、コンピュータ２から受信した検査結果を検査結果データベースに登録したり、検査結果データベースに登録されている各種のデータをコンピュータ２に送信したりする。管理部１３３は、検査結果を検査結果データベースに登録する際、まず、受信部１３１が複数のユーザ端末３から受信して記憶部１２に記憶された複数のキット番号のうち、取得部１３２が取得したキット番号と一致するキット番号を特定する。そして、管理部１３３は、特定したキット番号に対応するユーザＩＤに関連付けて、取得部１３２が取得した検査結果を記憶部１２に記憶させる。
【００４８】
図４は、記憶部１２に記憶された検査結果データベースの一例を示す図である。検査結果データベースにおいては、ユーザＩＤと、検査番号と、キット番号と、申込情報と、許諾レベルと、検査日と、検査結果とが関連付けられている。図４Ａにおいては、ユーザＩＤ「２０１５０００１」に関連付けて、受信部１３１がユーザ端末３から受信したキット番号「Ｃ２０１４３３２」と、ユーザ端末３において入力された検査日「２０１４／８／２５」とが登録されているが、２０１４年８月２５日の検査結果は、まだ登録されていない状態を示している。
【００４９】
検査番号は、ユーザが受けた検査結果を特定するための番号である。検査番号は、ユーザ個人が申し込んだ検査の結果であるか、ユーザが属する団体が申し込んだ検査の結果であるかによらず、検査の申し込みごとに割り当てられる固有の番号である。
【００５０】
申込情報は、ユーザが個人で申し込んだ健診のデータであるか、ユーザが属する団体が申し込んだ健診のデータであるかを示す情報である。申込情報は、検査番号に関連付けて記憶部１２に記憶されている。管理部１３３は、申込情報を参照することにより、検査結果が、ユーザが個人で申し込んだ健診により得られた検査結果であるか、ユーザが属する団体が申し込んだ健診により得られた検査結果かを識別することができる。
【００５１】
許諾レベルは、検査結果にアクセスできる条件を示す許諾情報であり、ユーザ端末３を介してユーザにより設定されている。許諾レベルが２の場合、ユーザ、及びユーザが属する団体の職員が、検査結果を閲覧することができる。許諾レベルが１の場合、ユーザは検査結果を閲覧することができるが、ユーザが属する団体の職員は検査結果を閲覧できず、検査結果を統計データの作成に用いる場合のように、特定の用途でのみ、ユーザが属する団体が検査結果を取得できる。許諾レベルが「０」の場合、ユーザが属する団体は、用途によらず検査結果を一切取得できない。
【００５２】
図４Ｂは、図４Ａに示した状態の後に、検査結果が登録された状態を示している。管理部１３３は、キット番号「Ｃ２０１４３３２」に対応する検査結果を取得部１３２が取得したことに応じて、図４Ａに示す検査結果データベースにおけるキット番号「Ｃ２０１４３３２」が関連付けられているレコードを特定する。そして、管理部１３３は、特定したレコードに、取得部１３２が取得した検査結果を登録することにより、図４Ｂに示すように、検査結果データベースを更新する。
【００５３】
なお、検査結果データベースは、ユーザＩＤに関連付けられたユーザの属性情報、及びユーザの氏名を含んでいてもよい。ユーザの属性情報は、ユーザ端末３から送信された問診データに含まれるユーザの年齢、性別、身長、体重、血液型、既往歴及び生活習慣等のように、ユーザの健康に関連する特性を示す情報、又はユーザが回答したアンケート結果のように、検査に対するユーザの嗜好を示す情報である。
【００５４】
また、検査結果データベースは、ユーザＩＤに関連付けられた、自治体等の公的機関により提供される健康診断費用の補助の利用実績を示す情報を含んでいてもよい。検査結果管理装置１は、検査サービスサイトにおいて、ユーザが検査費用を支払う処理をする際に、自治体により提供される健康診断費用の補助金を用いるかどうかを入力する画面を表示する。受信部１３１は、検査サービスサイトにおいて入力された、補助金を用いるか否かを示す情報を取得し、取得した情報を利用実績情報として検査結果データベースに登録する。
【００５５】
管理部１３３は、取得部１３２が取得したキット番号と一致するキット番号が検査結果データベースに登録されていないと判定した場合、取得部１３２が取得した氏名情報が示す氏名に対応するユーザＩＤに関連付けて、検査結果を検査結果データベースに登録してもよい。このようにすることで、管理部１３３は、通常は、誤記の可能性が比較的少ないキット番号を用いて、検査キットに付されていたキット番号が検査結果データベースのレコードに含まれているか否かを判定し、検査キットに付されていたキット番号が検査結果データベースのレコードに含まれていない場合に、補助的に氏名を用いることができる。
【００５６】
図３に戻って、送信部１３４は、受信部１３１がユーザ端末３又は自治体端末４から受信したアクセス要求メッセージに応じて、ユーザの検査結果を、検査結果が関連付けられたユーザＩＤに対応するユーザが使用するユーザ端末３、又はユーザが属する自治体（すなわち、ユーザＩＤに関連付けられた自治体ＩＤに対応する自治体）の自治体職員が使用する自治体端末４に送信する。
【００５７】
ここで、送信部１３４は、受信部１３１が受信したアクセス要求メッセージの送信者の属性と、記憶部１２に記憶された検査結果に関連付けられた申込情報とに基づいて選択した検査結果を、アクセス要求メッセージが送信された端末（ユーザ端末３又は自治体端末４）に送信する。送信者の属性は、アクセス要求メッセージにおいてアクセスが要求されている検査結果に対応するユーザ自身を示す第１属性、又はユーザが属する団体を示す第２属性のいずれかである。送信部１３４は、送信者の属性と、アクセス要求メッセージにおいて要求されている検査の検査結果番号に対応する申込情報と、に基づいて、ユーザが個人で申し込んだ健診により得られた個人検査結果（第１検査結果）及びユーザが属する団体が申し込んだ健診により得られた団体検査結果（第２検査結果）から選択した検査結果を送信する。
【００５８】
具体的には、送信者の属性がユーザ自身であることを示している場合、すなわち、受信部１３１がユーザ端末３からアクセス要求メッセージを受信した場合、送信部１３４は、申込情報の内容によらず、全ての検査結果（個人検査結果及び団体検査結果）をユーザ端末３に送信する。これに対して、送信者の属性がユーザの属する団体であることを示している場合、すなわち、受信部１３１が自治体端末４からアクセス要求メッセージを受信した場合、送信部１３４は、個人検査結果を送信せず団体検査結果を送信する。
【００５９】
ただし、送信部１３４は、アクセス要求メッセージの送信者の属性が、送信者が団体であることを示している場合であっても、ユーザの許可を得た場合には、団体の端末である自治体端末４に個人検査結果を送信してもよい。送信部１３４は、例えば、個人検査結果の提供の許可を要求するメッセージをユーザ端末３に送信し、ユーザ端末３を介してユーザから許可を得たことを条件に、個人検査結果を自治体端末４に送信する。
【００６０】
また、送信部１３４は、アクセス要求メッセージの送信者の属性が、送信者が団体であることを示している場合、団体検査結果が示す診断結果が所定の範囲であることを条件に、個人検査結果を自治体端末４に送信してもよい。例えば、送信部１３４は、団体検査結果の内容を解析して、団体検査結果が、ユーザが治療を必要としていることを示している場合に、個人検査結果を自治体端末４に送信してもよい。このようにすることで、自治体の職員が、個人検査結果を参照した上で、病院に行くことを勧めるメッセージ等の適切なメッセージを送信できるようになる。
【００６１】
また、受信部１３１が、検査結果の用途を示す用途情報を含むアクセス要求メッセージを受信した場合、送信部１３４は、アクセス要求メッセージに含まれる用途情報と、検査結果データベース内の、検査結果に関連付けられた許諾レベルを示す許諾情報とに基づいて個人検査結果及び団体検査結果から選択した検査結果を送信してもよい。例えば、アクセス要求メッセージに含まれる用途情報が、検査結果を閲覧することを示している場合、送信部１３４は、検査結果のうち、許諾レベルが「２」を示している検査結果を選択して、自治体端末４に送信する。
【００６２】
これに対して、アクセス要求メッセージに含まれる用途情報が、検査結果を統計データの作成に用いることを示している場合、送信部１３４は、検査結果のうち、許諾レベルが「１」又は「２」を示している検査結果を選択して、自治体端末４に送信する。このようにすることで、ユーザは、プライバシーを守りつつ、統計データの作成等に協力することが可能になる。
【００６３】
また、送信部１３４は、ユーザ端末３に検査結果を送信するとともに、又は検査結果を送信した後に、検査に関するアンケート情報をユーザ端末３に送信する。送信部１３４は、記憶部１２に記憶されている複数のアンケート情報から、検査結果に基づいて選択した一のアンケート情報をユーザ端末３に送信してもよい。アンケート情報には、検査サービスに関する質問、検査結果に基づくユーザの行動（例えば、病院に行ったかどうか）に関する質問等が含まれ、ユーザはユーザ端末３に表示されるアンケート画面において回答することができる。
【００６４】
また、送信部１３４は、検査結果に基づいて生成された各種のアドバイス情報をユーザ端末３に送信することもできる。送信部１３４は、例えば、ユーザが検査を行った複数の検査日に対応する複数の検査結果における変化の傾向に基づいて、ユーザの健康に関するアドバイスを含むアドバイス情報を通信端末に送信する。この場合、記憶部１２は、検査の種類ごとに、検査結果の変化の傾向に関連付けて、ユーザがかかっている可能性がある病気の名称、改善すべき生活習慣等の複数のアドバイス情報を記憶しておき、送信部１３４は、複数のアドバイス情報のうち、検査結果における変化の傾向に対応するアドバイス情報を選択して送信する。
【００６５】
送信部１３４は、記憶部１２がユーザＩＤに関連付けて記憶している検査日及び検査結果に基づいて、次回の検査として推奨する日（以下、「次回検査推奨日」という）を決定し、決定した次回検査推奨日を含むアドバイス情報をユーザ端末３に送信してもよい。送信部１３４は、例えば、検査結果に問題があった検査種別に関連付けて定められている検査間隔の推奨値を、直近の検査日に加算することにより、次回検査推奨日を決定する。送信部１３４は、検査結果が良好な場合に、次回検査推奨日までの間隔を長くし、検査結果に問題がある場合に、次回検査推奨日までの間隔を短くするようにしてもよい。
【００６６】
送信部１３４は、記憶部１２がユーザＩＤに関連付けて記憶している過去の複数の検査結果の変化の傾向に基づいて、次回検査推奨日を決定してもよい。例えば、送信部１３４は、過去の複数の検査結果が悪化する傾向にある場合、検査間隔が前回よりも短くなるように、次回検査推奨日を決定する。送信部１３４は、過去の複数の検査結果が、健康状態が改善する傾向を示している場合、検査間隔が前回よりも長くなるように、次回検査推奨日を決定する。
【００６７】
送信部１３４は、直近の検査結果のランク、及び過去の複数の検査結果におけるランクの変動傾向に基づいて、次回の検査までの間隔を決定してもよい。例えば、検査結果が「Ａ  基準値内」、「Ｂ  軽度異常値」、「Ｃ  高度異常値」、「Ｄ  医師の診断が必要な値」の４つのランクに分かれているとする。この場合、送信部１３４は、直近の検査結果が「Ａ  基準値内」であったときは、次回の検査までの間隔を標準的な間隔に決定し、直近の検査結果が「Ｃ  高度異常値」であったときは、次回の検査までの間隔を標準的な間隔よりも短い間隔に決定する。送信部１３４は、異常値を示すランクが所定数以上継続するとともに、ランクが改善する傾向にない場合に、次回の検査までの間隔を短い間隔に決定してもよい。
【００６８】
送信部１３４は、記憶部１２が記憶しているユーザの属性にさらに基づいて、次回検査推奨日を決定してもよい。例えば、送信部１３４は、検査結果に異常があった検査項目に関連する既往歴がユーザにある場合、既往歴がない場合よりも次回検査推奨日までの間隔を短くする。また、送信部１３４は、ユーザが、検査結果に異常があった検査項目に関連する病気になりやすい体質又は生活習慣を持っている場合に、次回検査推奨日までの間隔を短くしてもよい。
【００６９】
送信部１３４は、検査結果の変動の傾向と、ユーザの属性とを組み合わせることにより、次回検査推奨日を決定してもよい。例えば、送信部１３４は、ユーザの属性に基づいて、発病しやすい病気を特定し、特定した病気に関連する検査結果の変動の傾向が、発症の可能性を示している場合に、次回検査推奨日までの間隔を短くすることができる。このようにすることで、ユーザに通院を促すなどして、ユーザの病気を早期に発見することが可能になる。
【００７０】
また、送信部１３４は、記憶部１２が記憶している、公的機関の健康診断費用の補助の利用実績にさらに基づいて、次回検査推奨日を決定してもよい。例えば、送信部１３４は、ユーザが、所定の期間以内に使用することができる健康診断費用の補助を利用していない場合、補助を利用できる期間内に次回検査推奨日を決定する。この場合、送信部１３４は、補助を利用できる期間の末日までの間隔が所定の間隔よりも短いときは、補助を利用しないものとして、次回検査推奨日を、補助を利用できる期間の後の日に決定してもよい。
【００７１】
さらに、送信部１３４は、アドバイス情報として、病院名をユーザ端末３に送信してもよい。具体的には、記憶部１２が、検査結果の変化の傾向と、検査結果の変化の傾向により想定される病気の診断及び治療を行うことができる病院の名前とを関連付けて記憶しておき、送信部１３４は、ユーザの検査結果の変化の傾向に対応する病院を選択し、選択した病院の名前をユーザ端末３に送信する。記憶部１２に、送信部１３４が選択可能な病院が複数記憶されている場合、送信部１３４は、病院のサーバにアクセスして病院の空き状況を示す情報を取得し、次回検査推奨日と病院の空き状況とに基づいて、一以上の病院を選択してもよい。
【００７２】
送信部１３４は、次回検査推奨日として決定した日から所定の日数以内の期間内に空きがあり、かつ、検査結果の変化の傾向に関連付けられた病院を選択してもよい。このようにすることで、ユーザは、直近の検査日から適度な期間が経過した時期に、自らの健康改善のための治療をしてもらえる可能性が高い病院で、精密な検査を受けることができる。
【００７３】
［ユーザ端末３における検査結果の表示画面］
図５から図８は、ユーザ端末３の表示部３３に表示される検査結果の表示画面の例を示す図である。自治体が申し込んだ検査結果、又は許諾レベルが「２」の検査結果については、自治体端末４の表示部３３にも同様の画面が表示される。
図５は、検査結果の一覧画面である。領域２１には、検査日と、夫々の検査日に行われた検査の結果に対する総合評価が表示されている。ユーザが、「２０１４年８月２５日の結果」という操作画像にタッチすると、図６の表示画面に遷移する。
【００７４】
図６は、２０１４年８月２５日の検査結果の概要を表示している画面である。領域２２には、２０１４年８月２５日の検査結果の総合評価が表示されている。ユーザが「病院検索」と表示された操作画像にタッチすると、送信部１３４が検査結果に基づいて選択した病院の名前が表示される。ユーザが、領域２３の「改善アドバイス」という操作画像にタッチすると、送信部１３４が検査結果に基づいて選択したアドバイス情報が表示される。ユーザが、領域２４の各操作画像にタッチすると、タッチされた操作画像に対応する検査結果の詳細を表示する図７に示す画面に遷移する。
【００７５】
図７は、図６の画面において「Ｄ  肝機能  詳細」の操作画像にタッチされた後に表示される検査結果の詳細画面である。領域２５には、図７に検査結果が表示されている検査項目と、その他の検査項目とが、異なる表示態様で表示されている。ユーザは、その他の検査項目の操作画像にタッチすることで、その他の検査項目の詳細な検査結果を表示させることができる。領域２６には、図６において選択された検査項目である肝機能の検査結果の詳細データが表示されている。
【００７６】
図８は、過去の複数の検査結果の変化の様子を示すグラフである。図８（ａ）は、ユーザ端末３において閲覧することができるグラフである。ユーザは、操作画像２７をタッチすることで、さらに過去の検査結果を表示させることができ、操作画像２８をタッチすることで、さらに直近の検査結果を表示させることができる。
【００７７】
図８（ａ）は、肝機能検査の一部であるＧＰＴの検査結果の変化の様子を示すグラフであり、５０（ＵＩ／Ｌ）以内が基準値内である。図８に示す例においては、２０１３年３月１２日、２０１３年１１月２４日、２０１４年２月２３日に行われた検査の結果は基準値以内であり、２０１４年５月１０日に行われた検査の結果は、軽度異常値を示しており、２０１４年８月２５日に行われた検査の結果は、高度異常値を示している。ユーザは、このような検査結果の推移を視認するとともに、検査結果の変化の傾向に応じてアドバイス情報を見ることにより、健康状態の改善に積極的に取り組む意欲が増進される。
【００７８】
図８（ｂ）は、自治体端末４において閲覧することができるグラフである。図４Ｂに示すように、２０１４年２月２３日の検査結果は、許諾レベルが「１」に設定されているので、自治体端末４には検査結果が送信されない。したがって、図８（ｂ）においては、２０１４年２月２３日の検査結果が表示されていない。ただし、検査結果管理装置１は、自治体端末４から検査結果へのアクセス要求メッセージを受信した場合、許諾レベルが「０」又は「１」である場合であっても、検査を受けた日付を示す情報を送信してもよい。この場合、図８（ｂ）に示すように、検査を受けた日付が自治体端末４に表示されるので、自治体職員がユーザに電話をしたりメールを送信したりするような対応が可能になる。
【００７９】
［検査結果管理装置１の動作手順を示すフローチャート］
図９は、検査結果管理装置１における処理の手順を示すフローチャートである。図９のフローチャートは、検査結果管理装置１にアクセス要求メッセージが送信された時点から開始している。
【００８０】
Ｓ１１において、受信部１３１は、ユーザ端末３又は自治体端末４からアクセス要求メッセージを受信する。受信部１３１は、アクセス要求メッセージを受信すると、Ｓ１２において、アクセス要求メッセージの送信元端末を特定することにより、送信者がユーザ自身であるか、ユーザが属する自治体であるかを判定する。
【００８１】
Ｓ１２において受信部１３１が、送信者がユーザ自身であると判定した場合、検査結果管理装置１は処理をＳ１３に進めて、送信部１３４が、アクセス要求メッセージにおいて指定された全ての検査結果を送信リストに加える。送信部１３４は、Ｓ１４において、送信リストに含まれる検査結果を送信する。
【００８２】
Ｓ１２において、受信部１３１が、送信者がユーザ自身ではなくユーザが属する団体であると判定した場合、送信部１３４は、検査結果番号の順番に、検査結果を送信可能であるか否かを判定する。Ｓ１５において、送信部１３４は、送信可否を判定する対象とする検査結果番号を１に設定し、Ｓ１６において、検査結果番号が１の検査結果に関連付けられている申込情報が自治体であるか否かを確認する。
【００８３】
送信部１３４は、Ｓ１６において申込情報が自治体であると判定した場合、Ｓ１７において、検査結果番号が１の検査結果を送信リストに加える。送信部１３４は、Ｓ１６において申込情報が自治体でないと判定した場合、Ｓ１８に進んで、アクセス要求メッセージに含まれていた用途情報が、許諾された用途であるか否かを判定する。
【００８４】
送信部１３４は、アクセス要求メッセージに含まれていた用途情報が示す用途が、検査結果に関連付けられた用途レベルが示す用途に含まれている場合、Ｓ１７に進んで、検査結果を送信リストに加えてからＳ２０に進む。他方で、送信部１３４は、アクセス要求メッセージに含まれていた用途情報が示す用途が、検査結果に関連付けられた用途レベルが示す用途に含まれていない場合、Ｓ１９に進み、検査結果を送信リストに加えずにＳ２０に進む。
【００８５】
Ｓ２０において、送信部１３４は、送信可否を判定する対象となる検査結果の番号を、次の検査結果番号に変更してＳ２１に進む。この時点で、送信部１３４が全ての検査結果について判定を終了している場合、Ｓ１４に進み、送信部１３４が全ての検査結果について判定を終了していない場合、Ｓ１６に戻って、Ｓ１６からＳ２１までの手順を繰り返す。
以上の手順により、検査結果管理装置１は、検査結果へのアクセスの要求者と、検査の申込者との関係に基づいて、適切な検査結果をアクセスの要求者に送信することができる。
【００８６】
［第１の実施形態における効果］
以上説明したように、第１の実施形態に係る検査結果管理システムＳにおいては、送信部１３４が、受信部１３１が受信したアクセス要求の送信者の属性と、検査結果に関連付けられた前記申込情報とに基づいて、ユーザ自身が申し込んだ検査の結果、及びユーザが属する団体が申し込んだ検査の結果から適切な検査結果を選択して送信する。このようにすることで、検査結果管理装置１が、ユーザ自身が申し込んだ検査の結果と、ユーザが住む自治体等による集団検診で申し込んだ検査の結果とを一元管理しつつ、ユーザのプライバシーを保護することができる。
【００８７】
また、検査結果管理装置１は、自治体等の団体が検査結果の提供の許可を要求した場合であっても、ユーザ自身が申し込んだ検査の結果の提供を許可する許可をユーザから得たことを条件に、団体に検査結果を送信する。したがって、ユーザのプライバシーに影響しない範囲で、自治体がユーザの健康管理を支援することが可能になる。
【００８８】
また、検査結果管理装置１は、団体で申し込んだ健診におけるユーザの検査結果が悪い場合に、ユーザが申し込んだ健診の検査結果を自治体端末４に送信することを許可する。このようにすることで、早急に治療が必要なユーザに対して、自治体がアドバイスするといった対応をしやすくなる。
【００８９】
また、検査結果管理装置１は、自治体等の団体が、ユーザ自身が申し込んだ健診の検査結果を要求している場合であっても、用途によっては検査結果を自治体端末４に送信する。このようにすることで、ユーザのプライバシーに影響しない用途に検査結果を有効活用することができる。
【００９０】
＜第２の実施形態＞
第１の実施形態においては、ユーザが属する団体として、一つの自治体を想定していたが、第２の実施形態においては、ユーザが複数の自治体に属していたことがある場合を想定している点で異なる。第２の実施形態においては、ユーザが引っ越す前に住んでいた第１の自治体、及びユーザが引っ越した後に住んでいる第２の自治体の両方が、ユーザの健診を申し込んだ場合を想定している。
【００９１】
図１０は、第２の実施形態における検査結果データベースの一例を示す図である。図１０においては、申込情報が「自治体１」となっている検査結果と、「自治体２」となっている検査結果と、「個人」となっている検査結果とがある点で、図４に示した検査結果データベースと異なり、他の点で同じである。
【００９２】
上記のとおり、本実施形態の検査結果管理装置１の記憶部１２は、複数の団体が申し込んだ健診により得られた団体検査結果を、団体を識別するための団体識別情報に関連付けて記憶している。また、記憶部１２は、ユーザが過去に住んでいた複数の自治体を記憶している。
【００９３】
図１１は、第２の実施形態の検査結果管理装置１における処理の手順を示すフローチャートである。図１１においては、図９におけるＳ１６の代わりに、アクセスを要求された検査結果が、ユーザが過去に住んでいた自治体又は現在住んでいる自治体が申し込んだ健診の検査結果であるか否かを判定するＳ２２を有する点で、図９に示したフローチャートと異なり、他の点で同じである。
【００９４】
送信部１３４は、受信部１３１が複数の団体のうちの第１団体（例えば、第１の自治体）からアクセス要求を受信した場合、第１団体と、複数の団体のうちの第２団体（例えば、第２の自治体）との関係が所定の条件を満たすことを条件として、第２団体の団体識別情報に関連付けられた団体検査結果を第１団体に送信する。送信部１３４は、例えば、第１団体が、被検査者が現在居住している第１自治体であり、かつ第２団体が、被検査者が過去に居住していた第２自治体であることを条件として、団体検査結果を第１団体に送信する。
【００９５】
［第２の実施形態における効果］
以上説明したように、第２の実施形態に係る検査結果管理装置１は、自治体が申し込んだ健診の検査結果でないとしても、ユーザが過去に住んでいた自治体が申し込んでユーザが受けた健診の検査結果であれば、アクセスすることを可能にする。このようにすることで、検査結果管理装置１は、ユーザが引っ越したとしても、自治体等の団体が過去にユーザに受けさせた健診の検査結果を把握できるので、引っ越してきたばかりのユーザの健康増進のための支援を行うことが可能になる。
【００９６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００９７】
１  検査結果管理装置
２  コンピュータ
３  ユーザ端末
１１  通信部
１２  記憶部
１３  制御部
１３１  受信部
１３２  取得部
１３３  管理部
１３４  送信部
３１  通信部
３２  操作部
３３  表示部
３４  記憶部
３５  制御部
３５１  受付部
３５２  送信部
３５３  受信部
３５４  表示制御部
Ｓ  検査結果管理システム
【図１】
0006604867.tif 000002
【図２】
0006604867.tif 000003
【図３】
0006604867.tif 000004
【図４Ａ】
0006604867.tif 000005
【図４Ｂ】
0006604867.tif 000006
【図５】
0006604867.tif 000007
【図６】
0006604867.tif 000008
【図７】
0006604867.tif 000009
【図８】
0006604867.tif 000010
【図９】
0006604867.tif 000011
【図１０】
0006604867.tif 000012
【図１１】
0006604867.tif 000013